(57)【要約】      （修正有）【課題】車内や避難所の室内で掛け布団を寝袋にする掛け布団カバーを提供する。【解決手段】１枚のシートからなるシートの表面１に袋５を設け、袋５の左側縁部の内側に手提げ紐３を設ける。又、シートの左右縁部に全開ファスナー４を設け、シートの裏面の周縁にホックを設け、シートの裏面上部に衿カバーを設けた掛け布団カバーとする。さらに、掛け布団をホックで係止し、縦に二つ折りにして全開ファスナーを閉じ、かつ、袋を折り返して足元を包み込むことにより、掛け布団を寝袋にすることを特徴として掛け布団カバーを形成する。【選択図】図１
0003161257.tif 000002
【実用新案登録請求の範囲】
【請求項１】
シートの表面に袋を設け、袋の左側縁部の内側に手提げ紐を設け、シートの裏面の左右縁部に全開ファスナーを設け、周縁にホックを設け、上部に衿カバーを設けたことを特長とする掛け布団を寝袋にする掛け布団カバーである。
【請求項２】
掛け布団カバーの表の面左側一部に開閉ファスナーを設け、右側下部に袋を設け、袋の左側縁部の内側に手提げ紐を設け、掛け布団カバーの左右縁部に全開ファスナーを設けたことを特長とする掛け布団を寝袋にする掛け布団カバーである。
【考案の詳細な説明】
【技術分野】
【０００１】  本考案は、車内や避難所の室内で掛け布団を寝袋にする掛け布団カバーに関するものである。
【背景技術】
【０００２】  （イ）従来、掛け布団一枚を縦二つ折りにして上部側を掛け布団、下部側を敷布団として寝袋に利用する方法はなかった。
（ロ）従来の寝袋は、保温材とそれを包み込むカバーとは一体になっており分離することはできない。
（ハ）従来、寝袋の保温材を季節と好みに応じて取り替えることはできなかった。
（二）従来、掛け布団の裏側周縁には図３に示すように掛け布団の汚れを防止する掛け布団カバーの係止として紐通し９（カバー留めのループ）が設けられており、本考案はこれを掛け布団と寝袋になる掛け布団カバーとの連結に使用するものである。
【考案の開示】
【考案が解決しようとする課題】
【０００３】  そのために次のような問題点があった。
（イ）寝袋を使用しないとき収納に場所を要した
（ロ）寝袋の保温材を自由に取り替えることができなかった。
（ハ）寝袋は簡単に洗うことができず不衛生であった。
（ニ）車内での宿泊や仮眠のとき寒さをしのぐため多くの車がエンジンをかけている。
そのため、二酸化炭素の排出が地球の温暖化に問題になっている。
【課題を解決するための手段】
【０００４】  シートの表面に袋を設け、袋の左側縁部の内側に手提げ紐を設け、シートの裏面の左右縁部に全開ファスナーを設け、周縁にホックを設け、上部に衿カバーを設けたことを特長とする掛け布団を寝袋にする掛け布団カバーである。
【考案の効果】
【０００５】  （イ）掛け布団と寝袋になる掛け布団カバーをホックで係止し、縦に二つ折りにして全開ファスナーで閉じることにより寝袋になる。
（ロ）季節と好みに応じて保温性を変えるために、重ね合わせる布団を掛け布団、合掛け布団、肌掛け布団から選択することができる。
（ハ）表に設けられた袋で足元を包み込むと保温性が高まり、袋を元にもどすと通気性が良くなるなど保温調整ができる。
（二）車内で使用する掛け布団を羽毛布団で寝袋にした場合、全身を羽毛で包み込むことになり保温が高まるので車のエンジンを切って寝ることができ、二酸化炭素の排出が少なくなり環境にやさしい寝袋になる。
（ホ）寝袋を収納するときは頭部から足元に向かって丸めこみ、足元の袋に収納ができ小さく円柱のクッションになり、又手提げ紐がついているので持ち運びに便利である。
（ヘ）使用後は掛け布団とカバーが簡単に分離し、カバーは小さく折りたたむことができるので収納に場所をとらない。
（ト）カバーを洗うことができ衛生である。
（チ）掛け布団と寝袋になる掛け布団カバーがあれば、車の中や災害時での避難所で場所をとらない保温性のある寝袋ができあがる。
【考案を実施するための最良の形態】
【０００６】以下、本考案の実施の形態を説明する。
（イ）図１に示すようにシートの表面１の右側下部に袋５を設ける。袋５の左側縁部に        手提げ紐３を設ける。
（ロ）図２に示すようにシートの裏面２の上部に衿カバー６を設ける。衿カバー６の内        側とシートの裏面２の周縁にホック７を設ける。シート裏面２の左右縁部に全開        ファスナー４を設ける。
本案は以上のような構造である。
これを使用するときは下記のとおりである。
（イ）図３に示すようにシートの裏面２に設けられた衿カバー６の内側に掛け布団８を        差し込み、シートの裏側２のホック７と掛け布団８に設けられている紐通し（カ        バー留めのループ）９と系止する。
（ロ）図４に示すようにシート表面１で掛け布団９を包み込むように半分に折る。
（ハ）図５に示すようにシート裏面２の左右縁部に設けられた全開ファスナー４を連結        して下部から上部へ閉じてゆき、途中で、シート表面１に設けられた袋５を折り        返し足元を包み込み、全開ファスナー４を閉じて寝袋として使用する。
（ニ）図６に示すように寝袋を収納するときは、頭部から足元に向かい丸め込み足元の        袋５に収納できる。
（ホ）図７に示すように小さく円柱状のクッションになり手提げ３で持ち運びができる        。【０００７】  本考案の他の実施の形態を説明する。
（イ）図８に示すように掛け布団カバー１０の左側に開閉ファスナー１１を設け右側下        部に袋５を設ける。
（ロ）袋５の左側縁部の内側に手提げ紐３を設ける。
（ハ）掛け布団カバー１０の左右縁部に全開ファスナー４を設ける。
本案は以上のような構造である。
これを使用するときは下記のとおりである。
（イ）図８に示すように掛け布団カバー１０に設けられた開閉ファスナー１１を開いて        掛け布団８を掛け布団カバー１０の内側に差し込み、カバーの内側周縁に設けら        れているホック７と掛け布団８の周縁に設けられている紐通し（カバー留めのル        ープ）９と系止して開閉ファスナー１１を閉じる。
（ロ）図１０に示すように掛け布団カバー１０を縦に中心より山折の二つ折りにして、        掛け布団カバー１０の左右縁部に設けられた全開ファスナー４を連結して下部か        ら上部へ閉じてゆき、途中で、掛け布団カバー１０に設けられた袋５を折り返し        足元を包み込み、全開ファスナー４を閉じて寝袋になる。
【図面の簡単な説明】
【０００８】
【図１】本考案の表側の斜視図
【図２】本考案の裏側の斜視図
【図３】本考案の使用方法を示す斜視図
【図４】本考案の使用方法を示す斜視図
【図５】本考案の使用状態を示す斜視図
【図６】本考案の収納方法を示す斜視図
【図７】本考案の収納方法を示す斜視図
【図８】本考案の他の斜視図
【図９】本考案の他の使用方法を示す斜視図
【図１０】本考案の他の使用状態を示す斜視図
【符号の説明】
【０００９】  １  シートの表面
２  シートの裏面
３  手提げ紐
４  全開ファスナー
５  袋
６  衿カバー
７  ホック
８  掛け布団
９  紐通し（カバー留めのループ）
１０  掛け布団カバー
１１  開閉ファスナー
【図１】
0003161257.tif 000003
【図２】
0003161257.tif 000004
【図３】
0003161257.tif 000005
【図４】
0003161257.tif 000006
【図５】
0003161257.tif 000007
【図６】
0003161257.tif 000008
【図７】
0003161257.tif 000009
【図８】
0003161257.tif 000010
【図９】
0003161257.tif 000011
【図１０】
0003161257.tif 000012
【手続補正書】
【提出日】平成22年5月6日(2010.5.6)
【手続補正１】
【補正対象書類名】実用新案登録請求の範囲
【補正対象項目名】全文
【補正方法】変更
【補正の内容】
【実用新案登録請求の範囲】
【請求項１】
１枚のシートからなるシートの表面に袋を設け、袋の左側縁部の内側に手提げ紐を設け、シートの左右縁部に全開ファスナーを設け、シートの裏面の周縁にホックを設け、シートの裏面上部に衿カバーを設けた掛け布団カバーであって、掛け布団をホックで係止し、縦に二つ折りにして全開ファスナーを閉じ、かつ、袋を折り返して足元を包み込むことにより、掛け布団を寝袋にすることを特長とする掛け布団カバー。
【請求項２】
２枚のシートからなる掛け布団カバーの表の面左側一部に開閉ファスナーを設け、右側下部に袋を設け、袋の左側縁部の内側に手提げ紐を設け、掛け布団カバーの左右縁部に全開ファスナーを設け、２枚のシートの内側周縁にホックを設けた掛け布団カバーであって、掛け布団カバーの表に設けられた開閉ファスナーを開け掛け布団を内側に差し込みホックで係止し開閉ファスナーを閉じ、掛け布団カバーの表面を縦に中心より山折りの二つ折りにして全開ファスナーを閉じ、かつ、袋を折り返して足元を包み込むことにより、掛け布団を寝袋にすることを特長とする掛け布団カバー。
【手続補正２】
【補正対象書類名】明細書
【補正対象項目名】全文
【補正方法】変更
【補正の内容】
【考案の詳細な説明】
【技術分野】
【０００１】  本考案は、車内や避難所の室内で掛け布団を寝袋にする掛け布団カバーに関するものである。
【背景技術】
【０００２】  （イ）従来、掛け布団１枚を縦二つ折りにして上部側を掛け布団、下部側を敷布団として寝袋に利用する方法はなかった。
（ロ）従来の寝袋は、保温材とそれを包み込むカバーとは一体になっており分離することはできない。
（ハ）従来、寝袋の保温材を季節と好みに応じて取り替えることはできなかった。
（二）従来、掛け布団の裏側周縁には図３に示すように掛け布団の汚れを防止する掛け布団カバーの係止として紐通し９（カバー留めのループ）が設けられており、本考案はこれを掛け布団と寝袋になる掛け布団カバーとの連結に使用するものである。
【考案の開示】
【考案が解決しようとする課題】
【０００３】  そのために次のような問題点があった。
（イ）寝袋を使用しないとき収納に場所を要した
（ロ）寝袋の保温材を自由に取り替えることができなかった。
（ハ）寝袋は簡単に洗うことができず不衛生であった。
（ニ）車内での宿泊や仮眠のとき寒さをしのぐため多くの車がエンジンをかけている。
そのため、二酸化炭素の排出が地球の温暖化に問題になっている。
【課題を解決するための手段】
【０００４】  １枚のシートからなるシートの表面に袋を設け、袋の左側縁部の内側に手提げ紐を設け、シートの左右縁部に全開ファスナーを設け、シートの裏面の周縁にホックを設け、シートの裏面上部に衿カバーを設けた掛け布団カバーであって、掛け布団をホックで係止し、縦に二つ折りにして全開ファスナーを閉じ、かつ、袋を折り返して足元を包み込むことにより掛け布団を寝袋にする掛け布団カバー。
【考案の効果】
【０００５】  （イ）掛け布団と寝袋になる掛け布団カバーをホックで係止し、縦に二つ折りにして全開ファスナーで閉じることにより寝袋になる。
（ロ）季節と好みに応じて保温性を変えるために、重ね合わせる布団を掛け布団、合掛け布団、肌掛け布団から選択することができる。
（ハ）表に設けられた袋で足元を包み込むと保温性が高まり、袋を元にもどすと通気性が良くなるなど保温調整ができる。
（二）車内で使用する掛け布団を羽毛布団で寝袋にした場合、全身を羽毛で包み込むことになり保温が高まるので車のエンジンを切って寝ることができ、二酸化炭素の排出が少なくなり環境にやさしい寝袋になる。
（ホ）寝袋を収納するときは頭部から足元に向かって丸めこみ、足元の袋に収納ができ小さく円柱のクッションになり、又手提げ紐がついているので持ち運びに便利である。
（ヘ）使用後は掛け布団とカバーが簡単に分離し、カバーは小さく折りたたむことができるので収納に場所をとらない。
（ト）カバーを洗うことができ衛生である。
（チ）掛け布団と寝袋になる掛け布団カバーがあれば、車の中や災害時での避難所で場所をとらない保温性のある寝袋ができあがる。
【考案を実施するための最良の形態】
【０００６】以下、本考案の実施の形態を説明する。
（イ）図１に示すように１枚のシートからなるシートの表面１の右側下部に袋５を設け        る。袋５の内側の左側縁部に手提げ紐３を設けて、シートの左右縁部に全開ファ        スナー４を設ける。
（ロ）図２に示すようにシートの裏面２の上部に衿カバー６を設ける。衿カバー６の内        側とシートの周縁にホック７を設ける。
本案は以上のような構造である。
これを使用するときは下記のとおりである。
（イ）図３に示すようにシートの裏面２に設けられた衿カバー６の内側に掛け布団８を        差し込み、シートの裏面２のホック７と掛け布団８に設けられている紐通し９（        カバー留めのループ）と系止する。
（ロ）図４に示すようにシート表面１で掛け布団８を包み込むように半分に折る。
（ハ）図５に示すようにシートの左右縁部に設けられた全開ファスナー４を連結して下        部から上部へ閉じてゆき、途中で、シート表面１に設けられた袋５を折り返し足        元を包み込み、全開ファスナー４を閉じて寝袋として使用する。
（ニ）図６に示すように寝袋を収納するときは、頭部から足元に向かい丸め込み足元の        袋５に収納する。
（ホ）図７に示すように小さく円柱状のクッションになり手提げ３で持ち運びができる        。【０００７】本考案の他の実施の形態を説明する。
（イ）図８に示すように、２枚のシートからなる掛け布団カバーの表面１０の左側に開閉      ファスナー１１を設け右側下部に袋５を設ける。
（ロ）袋５の左側縁部の内側に手提げ紐３を設ける。
（ハ）図９に示すように２枚のシートの内側周縁にホック７を設ける。
（ニ）２枚のシートからなる掛け布団カバーの左右縁部に全開ファスナー４を設ける。
本案は以上のような構造である。
これを使用するときは下記のとおりである。
（イ）図９に示すように２枚のシートからなる掛け布団カバーの表面１０に設けられた開      閉ファスナー１１を開いて掛け布団８を内側に差し込み、カバーの内側周縁に設け      られているホック７と掛け布団８の周縁に設けられている紐通し９（カバー留めの      ループ）と系止して開閉ファスナー１１を閉じる。
（ロ）図１０に示すように２枚のシートからなる掛け布団カバーの表面１０を縦に中心よ      り山折の二つ折りにして、左右縁部に設けられた全開ファスナー４を連結して下部      から上部へ閉じてゆき、途中で、２枚のシートからなる掛け布団カバーの表面１０      に設けられた袋５を折り返し足元を包み込み、全開ファスナー４を閉じて寝袋にな      る。
【図面の簡単な説明】
【０００８】
【図１】本考案の表側の斜視図
【図２】本考案の裏側の斜視図
【図３】本考案の使用方法を示す斜視図
【図４】本考案の使用方法を示す斜視図
【図５】本考案の使用状態を示す斜視図
【図６】本考案の収納方法を示す斜視図
【図７】本考案の収納状態を示す斜視図
【図８】本考案の他の表面の斜視図
【図９】本考案の他の使用方法を示す斜視図
【図１０】本考案の他の使用状態を示す斜視図
【符号の説明】
【０００９】  １  シートの表面
２  シートの裏面
３  手提げ紐
４  全開ファスナー
５  袋
６  衿カバー
７  ホック
８  掛け布団
９  紐通し（カバー留めのループ）
１０  ２枚のシートからなる掛け布団カバーの表面
１１  開閉ファスナー